(57)【特許請求の範囲】
【請求項１】
情報処理装置の筐体の前面を覆うフロントマスクの幅方向の一端部に設けられた錠と、
前記錠の内筒の外周部に設けられ、前記内筒の回転位置の変化に応動して前記筐体の幅方向の一端部に形成された第一の係止部に係脱する係合片と、
前記フロントマスクの幅方向に沿って前記フロントマスク内に移動自在に設けられて前記錠の内筒の外周部に設けられたカム片のカム面に一端部を当接させつつ前記内筒の回転位置の変化に応動して其の他端部を前記筐体の幅方向の他端部に形成された第二の係止部に係脱させるフロントマスク固定用操作桿とを備えたことを特徴とするフロントマスクの施錠機構。
【請求項２】
前記係合片は、前記内筒が施錠回転位置にあるときに前記フロントマスクの幅方向の一端部に対応して前記筐体の幅方向の一端部に形成された前記第一の係止部に係合する一方、前記内筒が開錠回転位置にあるときに前記第一の係止部から離脱するように構成され、
前記カム片のカム面は、開錠回転位置から施錠回転位置に向かう前記内筒の回転位置の変化に応動して前記フロントマスクの幅方向の他端部に接近するように構成され、
前記フロントマスク固定用操作桿は、前記フロントマスクの幅方向の前記一端部に向けて定常的に付勢されると共に、前記内筒が施錠回転位置にあるときに前記カム片のカム面に一端部を当接させて其の他端部を前記筐体の幅方向の他端部に形成された前記第二の係止部に係合させる一方、前記内筒が開錠回転位置にあるときに前記カム片のカム面に前記一端部を当接させて其の他端部を前記第二の係止部から離脱させる長さを備えていることを特徴とする請求項１記載のフロントマスクの施錠機構。
【請求項３】
前記フロントマスク固定用操作桿の前記一端部には、該フロントマスク固定用操作桿の軸方向と直交する平面から成るカム当接面が形成されていることを特徴とした請求項２記載のフロントマスクの施錠機構。
【請求項４】
前記フロントマスク固定用操作桿は長尺の短冊状に形成された金属材料から成り、前記カム当接面は、前記フロントマスク固定用操作桿の前記一端部に曲げ加工で形成された折り返し部によって構成されていることを特徴とする請求項３記載のフロントマスクの施錠機構。
【請求項５】
前記フロントマスク固定用操作桿は、少なくとも、前記カム当接面から前記フロントマスク固定用操作桿の長手方向中心部に向けて離間した位置と前記他端部から前記フロントマスク固定用操作桿の長手方向中心部に向けて離間した位置において前記フロントマスク内に固設された複数のステーによって移動自在にガイドされ、前記カム当接面に直近するステーと前記カム当接面との間で前記フロントマスク固定用操作桿に環装して取り付けられたコイルスプリングによって付勢されていることを特徴とする請求項３または請求項４のうち何れか一項に記載のフロントマスクの施錠機構。
【請求項６】
請求項１，請求項２，請求項３，請求項４または請求項５のうち何れか一項に記載のフロントマスクの施錠機構を備えたフロントマスク。
【請求項７】
請求項６記載のフロントマスクを備えた情報処理装置の筐体構造。
【請求項８】
情報処理装置の筐体の前面を覆うフロントマスクの幅方向の一端部に設けられた錠の内筒を鍵で開錠回転位置から施錠回転位置に回転させて前記内筒の外周部に形成された係合片を筐体の幅方向の一端部に形成された第一の係止部に係合させると共に、開錠回転位置から施錠回転位置に向かう前記内筒の回転により、前記内筒の外周部に設けられたカム片に形成されたカム面に一端部を当接させたフロントマスク固定用操作桿を前記フロントマスクの幅方向の前記一端部に向けて定常的に付勢するコイルスプリングの弾性復帰力に抗して前記フロントマスクの幅方向に沿って移動させ、その他端部を前記筐体の幅方向の他端部に形成された第二の係止部に係合させることによって前記フロントマスクの幅方向の両端部を前記情報処理装置の筐体に固定する一方、
前記錠の内筒を鍵で施錠回転位置から開錠回転位置に回転させて前記内筒の外周部に形成された係合片を筐体の幅方向の一端部に形成された第一の係止部から離脱させると共に、施錠回転位置から開錠回転位置に向かう前記内筒の回転により、前記内筒の外周部に設けられたカム片に形成されたカム面に一端部を当接させたフロントマスク固定用操作桿を前記フロントマスクの幅方向の前記一端部に向けて定常的に付勢するコイルスプリングの弾性復帰力で前記フロントマスクの幅方向に沿って移動させ、その他端部を前記筐体の幅方向の他端部に形成された第二の係止部から離脱させることによって前記フロントマスクの幅方向の両端部を前記情報処理装置の筐体から取り外すことを特徴としたフロントマスクの着脱方法。
【発明の詳細な説明】
【技術分野】
【０００１】
本発明は、情報処理装置の筐体の前面を覆うフロントマスクに用いて好適なフロントマスクの施錠機構とフロントマスクおよび情報処理装置の筐体構造とフロントマスクの着脱方法に関する。
【背景技術】
【０００２】
情報処理装置の筐体の前面を覆うフロントマスクの施錠機構としては、例えば、図７〜図１０に示すようなものが一般に知られている。
【０００３】
図７（ａ）は一般的な施錠機構を備えたフロントマスク１００を示した斜視図、図７（ｂ）は同フロントマスク１００の正面図、図７（ｃ）は同フロントマスク１００を背面側から示した図である。
【０００４】
このフロントマスク１００は、図８に示されるような情報処理装置の筐体１０１の前面を覆うフロントマスクであり、その幅方向の一端部、つまり、図７（ａ）〜図７（ｃ）に示されるようなフロントマスク１００の正面右端部の位置に錠１０２を備える。
【０００５】
錠１０２は外筒１０３の内側に内筒１０４を備えた一般的なリンダー錠であり、鍵穴１０５に専用の鍵を差し込んだ場合にだけ、内筒１０４を回転させることができるようになっている。
【０００６】
図７（ｃ）に示されるようにしてフロントマスク１００の裏面側に突出した錠１０２の内筒１０４の外周部には、フロントマスク１００の幅方向の一端部に対応した筐体１０１の幅方向の一端部、つまり、図８に示される筐体１０１の右端部に設けられたスリット等により構成される第一の係止部１０６に係合する係合片１０７が設けられている。
【０００７】
第一の係止部１０６は図９（ａ）に示されるように筐体１０１の側壁１０１ａの前端部に上下方向の一辺を残して矩形状の孔をプレス加工により穿設して形成したもので、残された一辺において９０°屈曲して外側に折り返された舌片部１０６ａとスリット部１０６ｂによって第一の係止部１０６が構成されている。
【０００８】
また、側壁１０１ａの最前端部は９０°屈曲して外側に折り返され、フロントマスク１００を筐体１０１に取り付けた際にフロントマスク１００の内面を支える第一のフロントマスク支持部１０８として機能するようになっている。
【０００９】
一方、フロントマスク１００の幅方向の他端部には、フロントマスク１００の幅方向の他端部に対応した筐体１０１の幅方向の他端部、つまり、図８に示される筐体１０１の左端部に設けられた舌片部１０９ａ，１０９ｂにより構成される第二の係止部１０９に係合する係合片１１０，１１０が図７（ｃ）に示されるようにして設けられている。この係合片１１０，１１０は其の基部をフロントマスク１００の幅方向の他端面に固着されて幅方向の内側に向けて延出する舌片である。
【００１０】
第二の係止部１０９は、図１０（ａ）に示されるように、筐体１０１の側壁１０１ｂの前端部から外側に向けて突出するように形成された舌片部１０９ａ，１０９ｂによって構成されるもので、前記と同様、側壁１０１ｂの最前端部は９０°屈曲して外側に折り返されており、フロントマスク１００を筐体１０１に取り付けた際にフロントマスク１００の内面を支える第二のフロントマスク支持部１１１として機能するようになっている。
【００１１】
フロントマスク１００を筐体１０１に取り付ける際には、まず、錠１０２を開錠して内筒１０４を開錠回転位置に回転させ、係合片１０７を図７（ｃ）に示されるようにして下方に向けた状態とし、図８に示されるようにしてフロントマスク１００を筐体１０１の手前で僅かに左側、つまり、筐体１０１の幅方向の外側にずらせて把持する。
【００１２】
そして、図１１に示されるように、錠１０２を取り付けた側のフロントマスク１００の一端側を僅かに手前に引き、且つ、フロントマスク１００の他端側を僅かに押し出すようにしてフロントマスク１００を筐体１０１に対して傾斜させ、フロントマスク１００の姿勢を水平面内で維持する。
【００１３】
次いで、フロントマスク１００の各部の構成要素と筐体１０１の開口部前面との干渉を回避しながら、フロントマスク１００の他端部の裏面に設けられた係合片１１０，１１０を筐体１０１に設けられた第二の係止部１０９、すなわち、舌片部１０９ａ，１１０ｂに図１０（ｂ）に示されるようにして外側から接近させ、係合片１１０，１１０を舌片部１０９ａ，１１０ｂに引っ掛けて、図１０（ｃ）に示すようにしてフロントマスク１００における他端部の裏面と係合片１１０，１１０との間で舌片部１０９ａ，１１０ｂを挟み込むことで、フロントマスク１００の他端部を筐体１０１の他端部に固定する。
【００１４】
そして、フロントマスク１００の他端部を中心にしてフロントマスク１００を水平面内で僅かに回転させるようにして、フロントマスク１００の一端部を筐体１０１に接近させて押し付け、図９（ｂ）に示されるようにして、筐体１０１の一端部に位置する第一のフロントマスク支持部１０８でフロントマスク１００の裏面を支えることにより、フロントマスク１００が備える錠１０２の内筒１０４に設けられた係合片１０７と筐体１０１側の第一の係止部１０６の位置関係を筐体１０１の奥行き方向において適正化する。
【００１５】
最終的に、専用の鍵で錠１０２の内筒１０４を図７（ａ），図７（ｂ）中でクロックワイズ方向、すなわち、図９（ｂ）中でカウンタークロックワイズ方向に回転させ、内筒１０４に設けられた係合片１０７を筐体１０１の舌片部１０６ａと重合させ、更には、係合片１０７の先端を筐体１０１のスリット部１０６ｂに突入させることにより、フロントマスク１００における一端部の裏面と係合片１０７との間で舌片部１０６ａとスリット部１０６ｂ、すなわち、筐体１０１における第一の係止部１０６を挟み込んで、図９（ｃ）に示されるようにしてフロントマスク１００の一端部を筐体１０１の他端部に固定し且つ施錠する。
【００１６】
以上に述べた通り、一般的なフロントマスク１００の取り付けに際しては、フロントマスク１００に設けられた係合片１１０，１１０を筐体１０１に設けられた第二の係止部１０９に係合させるため、筐体１０１に対してフロントマスク１００を側方にオフセットした位置でフロントマスク１００の取り付け操作を開始する必要があり、しかも、フロントマスク１００の各部の構成要素と筐体１０１の開口部前面との干渉を回避するために筐体１０１の開口部に対してフロントマスク１００を斜交させた状態で把持する必要がある。
【００１７】
このため、図１１に示すように、筐体１０１にフロントマスク１００を取り付けたときの装置全体の大きさに相当する横幅Ｗよりも側方に作業スペースが張り出し、しかも、筐体１０１の奥行き方向においてもフロントマスク１００の厚みに比べて広い作業スペースＳが筐体１０１の手前側に必要となる不都合が生じ、特に、複数の筐体１０１を幅方向に並べて密接して配備するような場合にフロントマスク１００の着脱に支障を来たす恐れがあった。
【００１８】
また、本体部に対して着脱可能もしくは開閉可能とされた扉等を２箇所以上で本体部に対して係止もしくは施錠するための構造としては、例えば、特許文献１に開示される扉の施錠装置や特許文献２に開示される施開錠装置が知られている。
【００１９】
特許文献１に開示される扉の施錠装置は２つのシリンダー錠を連動して施錠できるようにしたものである。
この施錠装置は、連動桿に設けた切欠と各シリンダー錠の作動アームに設けられたピンを利用して何れかのシリンダー錠が施錠される際のシリンダー錠の回転位置の変化を他方のシリンダー錠にも伝達することによって２つのシリンダー錠を同時に施錠するように構成したものだが、作動アームに設けられたピンと連動桿の切欠との係合が浅く、作動アームの回転が連動桿に伝達される区間が短いため、支点越えバネの原理を応用した他の付勢手段を併用しないとシリンダー錠の内筒の回転位置を開錠位置や施錠回転位置に位置決めできず、全体の構成が複雑となる不都合がある。
しかも、連動桿の長手方向と直交する方向に２つのシリンダー錠の各々と其の夫々に必要とされる支点越えバネ等を配置する構成であるため、様々な構成要素が連動桿の長手方向と直交する向きに広く分散され、各種の構成要素の配置に広いスペースが必要となり、例えば、情報処理装置の筐体のフロントマスクといったもののように特定の方向に著しく長く形成された扉、つまり、長手方向と直交する向きの高さや厚みが少ない扉には転用が困難である。
【００２０】
特許文献２に開示される施開錠装置は２つの引き出しと１つの上扉を本体に対して同時にロックする機能を備えるが、２つの引き出しの各々をロックするロックアームや１つの上扉をロックするロック部材および係止爪の配置が昇降桿の長手方向と直交する方向に分散して配置されているので、やはり、前記と同様、各種の構成要素の配置のために縦横に広いスペースが必要となり、情報処理装置の筐体のフロントマスクといったものには全く適さない。
【先行技術文献】
【特許文献】
【００２１】
【特許文献１】特開２００１−２７１５２９号公報（段落００１８，００２０〜００３５，図１）
【特許文献２】特開２００５−１４６６５７号公報（段落０００１，００３８〜０５２，図５〜図６）
【発明の概要】
【発明が解決しようとする課題】
【００２２】
本発明の目的は、情報処理装置の筐体の左右および前方の作業スペースが狭くても容易にフロントマスクを着脱して施錠開錠ができるフロントマスクの施錠機構とフロントマスクおよび情報処理装置の筐体構造とフロントマスクの着脱方法を提供することにある。
【課題を解決するための手段】
【００２３】
本発明におけるフロントマスクの施錠機構は、前記目的を達成するため、
情報処理装置の筐体の前面を覆うフロントマスクの幅方向の一端部に設けられた錠と、
前記錠の内筒の外周部に設けられ、前記内筒の回転位置の変化に応動して前記筐体の幅方向の一端部に形成された第一の係止部に係脱する係合片と、
前記フロントマスクの幅方向に沿って前記フロントマスク内に移動自在に設けられて前記錠の内筒の外周部に設けられたカム片のカム面に一端部を当接させつつ前記内筒の回転位置の変化に応動して其の他端部を前記筐体の幅方向の他端部に形成された第二の係止部に係脱させるフロントマスク固定用操作桿とを備えたことを特徴とする構成を有する。
【００２４】
また、本発明におけるフロントマスクは、前記と同様の目的を達成するため、上記した通りのフロントマスクの施錠機構を備える。
【００２５】
また、本発明における情報処理装置の筐体構造は、前記と同様の目的を達成するため、上記した通りのフロントマスクを備える。
【００２６】
そして、本発明におけるフロントマスクの着脱方法は、前記と同様の目的を達成するため、
情報処理装置の筐体の前面を覆うフロントマスクの幅方向の一端部に設けられた錠の内筒を鍵で開錠回転位置から施錠回転位置に回転させて前記内筒の外周部に形成された係合片を筐体の幅方向の一端部に形成された第一の係止部に係合させると共に、開錠回転位置から施錠回転位置に向かう前記内筒の回転により、前記内筒の外周部に設けられたカム片に形成されたカム面に一端部を当接させたフロントマスク固定用操作桿を前記フロントマスクの幅方向の前記一端部に向けて定常的に付勢するコイルスプリングの弾性復帰力に抗して前記フロントマスクの幅方向に沿って移動させ、その他端部を前記筐体の幅方向の他端部に形成された第二の係止部に係合させることによって前記フロントマスクの幅方向の両端部を前記情報処理装置の筐体に固定する一方、
前記錠の内筒を鍵で施錠回転位置から開錠回転位置に回転させて前記内筒の外周部に形成された係合片を筐体の幅方向の一端部に形成された第一の係止部から離脱させると共に、施錠回転位置から開錠回転位置に向かう前記内筒の回転により、前記内筒の外周部に設けられたカム片に形成されたカム面に一端部を当接させたフロントマスク固定用操作桿を前記フロントマスクの幅方向の前記一端部に向けて定常的に付勢するコイルスプリングの弾性復帰力で前記フロントマスクの幅方向に沿って移動させ、その他端部を前記筐体の幅方向の他端部に形成された第二の係止部から離脱させることによって前記フロントマスクの幅方向の両端部を前記情報処理装置の筐体から取り外すことを特徴とした構成を有する。
【発明の効果】
【００２７】
本発明におけるフロントマスクの施錠機構とフロントマスクおよび情報処理装置の筐体構造とフロントマスクの着脱方法は、情報処理装置の筐体の前面を覆うフロントマスクの幅方向の一端部に設けられた錠の内筒を鍵で開錠回転位置から施錠回転位置に回転させて内筒の外周部に形成された係合片を筐体の幅方向の一端部に形成された第一の係止部に係合させると共に、開錠回転位置から施錠回転位置に向かう内筒の回転により、内筒の外周部に設けられたカム片に形成されたカム面に一端部を当接させたフロントマスク固定用操作桿をフロントマスクの幅方向に沿って移動させ、その他端部を筐体の幅方向の他端部に形成された第二の係止部に係合させることによってフロントマスクの幅方向の両端部を情報処理装置の筐体に固定するようにしたので、筐体の開口部の正面からフロントパネルを筐体に向けて真っ直ぐに接近させて筐体に取り付けた上で、１つの錠の操作によって、フロントマスク側の係合片とフロントマスク固定用操作桿の他端部を、筐体側の第一，第二の係止部に簡単に係合させて施錠することができる。
従って、筐体の側方にフロントマスクをオフセットしたり筐体の開口部に対してフロントマスクを斜交させたりしなくても筐体の開口部の正面からフロントパネルを簡単に取り付けることができ、情報処理装置の筐体の左右および前方の作業スペースが狭くても容易にフロントマスクの着脱や施錠開錠の操作を行なうことができる。
【図面の簡単な説明】
【００２８】
【図１】本発明を適用した一実施形態の施錠機構を備えたフロントマスクを示した図で、図１（ａ）は其の正面図、図１（ｂ）は其の背面図である。
【図２】同実施形態のフロントマスクと其の取り付け対象となる情報処理装置の筐体を示した斜視図である。
【図３】フロントマスクの裏面側に突出した錠の周辺構造および錠と共にフロントマスクの裏面側に取り付けられる部品の構造について示した図で、図３（ａ）はフロントマスクの裏面側に取り付けられた錠の周辺構造を示した斜視図、図３（ｂ）はフロントマスク固定用操作桿と此れを支持するステーとコイルスプリングを取り出して部品の相互関係を示した斜視図、図３（ｃ）はフロントマスク固定用操作桿を支持するステーと錠の内筒と此れに取り付けられる施錠用回転部品を取り出して部品の相互関係を示した斜視図である。
【図４】フロントマスクの他端部の裏面側に取り付けられたステーの周辺構造について示した図で、図４（ａ）はフロントマスクの裏面側に取り付けられたステーの周辺構造を示した斜視図、図４（ｂ）はステーで支持されるフロントマスク固定用操作桿の他端部先端付近の構成を示した斜視図、図４（ｃ）はステーの外観を示した斜視図である。
【図５】施錠用回転部品に設けられた係合片と筐体側の第一の係止部との係合関係を示した図で、図５（ａ）はフロントマスクを筐体に押し付けて鍵を開錠回転位置とした状態で係合片と第一の係止部との係合関係を示した斜視図、図５（ｂ）はフロントマスクを筐体に押し付けて鍵を施錠回転位置とした状態で係合片と第一の係止部との係合関係を示した斜視図である。
【図６】フロントマスク固定用操作桿の他端部と筐体側の第二の係止部との係合関係を示した図で、図６（ａ）はフロントマスクを筐体に押し付けて鍵を開錠回転位置とした状態でフロントマスク固定用操作桿の他端部と第二の係止部との係合関係を示した斜視図、図６（ｂ）はフロントマスクを筐体に押し付けて鍵を施錠回転位置とした状態でフロントマスク固定用操作桿の他端部と第二の係止部との係合関係を示した斜視図である。
【図７】一般的な施錠機構を備えたフロントマスクを示した図で、図７（ａ）は其の斜視図、図７（ｂ）は其の正面図、図７（ｃ）は其の背面図である。
【図８】一般的なフロントマスクと其の取り付け対象となる情報処理装置の筐体を示した斜視図である。
【図９】一般的なフロントマスクの取り付け対象となる情報処理装置の筐体の構成について示した図であり、図９（ａ）は筐体の幅方向の一端部に設けられた第一の係止部と第一のフロントマスク支持部を筐体の背面側から示した斜視図、図９（ｂ）はフロントマスクを筐体に押し付けた状態で筐体の幅方向の一端部に設けられた第一の係止部と第一のフロントマスク支持部を筐体の背面側から示した斜視図、図９（ｃ）はフロントマスクを筐体に取り付けた状態で筐体の幅方向の一端部に設けられた第一の係止部と第一のフロントマスク支持部を筐体の背面側から示した斜視図である。
【図１０】一般的なフロントマスクの取り付け対象となる情報処理装置の筐体の構成について示した図であり、図１０（ａ）は筐体の幅方向の他端部に設けられた第二の係止部と第二のフロントマスク支持部を筐体の背面側から示した斜視図、図１０（ｂ）はフロントマスクを筐体に取り付ける直前の状態で筐体の幅方向の他端部に設けられた第二の係止部と第二のフロントマスク支持部を筐体の背面側から示した斜視図、図１０（ｃ）はフロントマスクを筐体に取り付けた状態で筐体の幅方向の他端部に設けられた第二の係止部と第二のフロントマスク支持部を筐体の背面側から示した斜視図である。
【図１１】一般的なフロントマスクの取り付けに際して必要とされる作業スペースについて示した概念図である。
【発明を実施するための形態】
【００２９】
次に、本発明を実施するための一実施形態について図面を参照して具体的に説明する。
【００３０】
図１（ａ）は本発明を適用した一実施形態の施錠機構を備えたフロントマスク１を示した正面図、また、図１（ｂ）は同フロントマスク１を背面側から示した図である。
【００３１】
この実施形態のフロントマスク１は、図２に示されるような情報処理装置の筐体２の前面を覆うフロントマスクであり、その幅方向の一端部、つまり、図１（ａ）〜図１（ｂ）に示されるようなフロントマスク１の正面右端部の位置に、此の種の一般的なフロントマスクと同様に錠１０２を備える。
【００３２】
錠１０２は外筒１０３の内側に内筒１０４を備えた一般的なリンダー錠であり、鍵穴１０５に専用の鍵を差し込んだ場合にだけ、内筒１０４を回転させることができるようになっている。
【００３３】
図１（ｂ）に示されるようにしてフロントマスク１の裏面側に突出した錠１０２の周辺構造および錠１０２と共にフロントマスク１の裏面側に取り付けられる部品の構造について図３に示す。
【００３４】
このうち、図３（ａ）はフロントマスク１の裏面側に取り付けられた錠１０２の周辺構造を示した斜視図、図３（ｂ）はフロントマスク固定用操作桿３と此れを支持するステー４とコイルスプリング５を取り出して部品の相互関係を示した斜視図、図３（ｃ）はフロントマスク固定用操作桿３を支持するステー４と錠１０２の内筒１０４と此れに取り付けられる施錠用回転部品６を取り出して部品の相互関係を示した斜視図である。
【００３５】
図３（ｂ）に示されるように、ステー４の主要部は、錠１０２の外筒１０３が貫通する長孔７を中央部に備えて全体としてフロントマスク１の幅方向に延びる板状のフロントマスク当接部８と、フロントマスク１における幅方向の他端部の方向に対応するフロントマスク当接部８の幅方向の他端部をプレス加工により手前側に屈曲して形成したステー本体部９とによって一体的に構成され、ステー本体部９には、フロントマスク固定用操作桿３を挿通してフロントマスク１の幅方向に沿って移動自在にガイドするための矩形穴１０が穿設されている。
【００３６】
なお、ステー本体部９の外周部に一体的に形成された２つの折り返し部１１，１２は、ステー４の回り止めとして機能するもので、ステー４をフロントマスク１の裏面に取り付けた際に、折り返し部１１，１２の孔１３，１４をフロントマスク１の裏面から立ち上がる突起（図示せず）にタッピングビス等を用いて固定することで、ステー４の不用意な回転や位置ずれによる姿勢変化を防止するようになっている。
【００３７】
ステー４は、図３（ａ）に示されるように、フロントマスク１の裏面側に突出した錠１０２の外筒１０３をフロントマスク当接部８の長孔７に挿通させるかたちでフロントマスク１の裏面側の幅方向の一端部に取り付けられ、外筒１０３の外周部に刻設された雄ネジに螺合するナット１５とフロントマスク１の表側に突出した外筒１０３のフランジ状の拡径部（図示せず）との間に挟まれてフロントマスク１の裏面側に固定される。
【００３８】
ステー４におけるステー本体部９の矩形穴１０に挿通されるフロントマスク固定用操作桿３は、図３（ｂ）に示されるように、フロントマスク固定用操作桿３の軸方向と直交する平面から成るカム当接面１６を其の一端部に備える。
【００３９】
フロントマスク固定用操作桿３は、図１（ｂ）に示されるように、全体としては長尺の短冊状に形成された金属材料から成る板状の部品であり、その一端部に形成されたカム当接面１６はフロントマスク固定用操作桿３の一端部に曲げ加工で形成された折り返し部である。
【００４０】
フロントマスク固定用操作桿３の取り付けに際しては、予めフロントマスク固定用操作桿３の他端部からコイルスプリング５を環装し、例えば、図３（ｂ）に示されるようにしてカム当接面１６の位置までコイルスプリング５を移動させておき、ステー４におけるステー本体部９の矩形穴１０にフロントマスク固定用操作桿３の他端部を指し込んでから、カム当接面１６の部分を除くフロントマスク固定用操作桿３の全体を矩形穴１０からフロントマスク１の幅方向の他端部に向けて引き出すようにする。
【００４１】
図１（ｂ）に示されるように、フロントマスク１の幅方向の他端部の裏面側には、前述したステー４のステー本体部９と同様、フロントマスク固定用操作桿３をフロントマスク１の幅方向に沿ってフロントマスク１内で移動自在にガイドするための２つ目のステー１７が設けられている。
ステー４およびステー１７ならびに施錠用回転部品６は、前述したフロントマスク固定用操作桿３と同様、強度上の観点から鉄，アルミニウム，その他の合金等の金属材料によって構成されることが望ましい。
【００４２】
フロントマスク１の他端部の裏面側に取り付けられたステー１７の周辺構造について図４に示す。
【００４３】
このうち、図４（ａ）はフロントマスク１の裏面側に取り付けられたステー１７の周辺構造を示した斜視図、図４（ｂ）はステー１７で支持されるフロントマスク固定用操作桿３の他端部先端付近の構成を示した斜視図、図４（ｃ）はステー１７の外観を示した斜視図である。
【００４４】
フロントマスク固定用操作桿３の他端部先端付近は図４（ｂ）に示されるようにして手前側に向けてクランク状に折り返され、その先端部がフロントマスク固定用操作桿３の本体部と平行な状態とされると共に、フロントマスク固定用操作桿３の本体部の裏面がフロントマスク１の裏面に摺接するようになっている。
【００４５】
ステー１７は、図４（ｃ）に示されるように、断面略Ｌ字型を呈する金属片であり、屈曲部の片側に位置する一面の端部中央部には、フロントマスク固定用操作桿３における本体部の通過を許容して当該本体部の表面の浮き上がりを防止する矩形状の切り込み１８が形成される一方、この一面と直交する他の面の端部中央部には、フロントマスク固定用操作桿３における他端部先端付近の通過を許容する別の矩形状の切り込み１９が形成されている。
【００４６】
図１（ａ）および図４（ａ）に示される通り、ステー１７は、フロントマスク１の他端部からフロントマスク固定用操作桿３の長手方向中心部に向けて僅かに離間した位置に配置され、フロントマスク１の裏面から立ち上がる突起（図示せず）にタッピングビス等を介して矩形状の切り込み１９の両側に位置する孔２０，２１を固定されることによってフロントマスク１の裏面側に取り付けられる。
【００４７】
フロントマスク１の裏面にフロントマスク固定用操作桿３およびステー１７を取り付けた状態では、図４（ｃ）に示されるように、フロントマスク固定用操作桿３の本体部がフロントマスク１の裏面とステー１７の矩形状の切り込み１８の間で挟まれるようにしてフロントマスク１の幅方向に向けて移動自在に保持される。
【００４８】
また、図３（ａ）および図３（ｃ）に示されるようにしてフロントマスク１の裏面側に突出した錠１０２の内筒１０４の外周には、内筒１０４の回転位置の変化に応動して、フロントマスク１の幅方向の一端部に対応した筐体２の幅方向の一端部、つまり、図２に示される筐体２の右端部に設けられた第一の係止部２２に係合する係合片２３とカム片２４とを一体的に備えた施錠用回転部品６が設けられている。
【００４９】
より具体的には、内筒１０４の先端部は其の外周面の対向位置に平取りを施されて扁平な形状とされており、施錠用回転部品６の中央に穿設された長穴に内筒１０４の先端部を貫通させることによって内筒１０４に対して施錠用回転部品６が回転不能に支持され、更に、内筒１０４の先端外周部に刻設された雄ネジに適合するナット２５を螺合させることで、施錠用回転部品６が内筒１０４に完全に固定される。施錠用回転部品６を内筒１０４に取り付けた状態で、施錠用回転部品６の一部を形成する係合片２３とカム片２４が、全体として、内筒１０４の外周部に位置することになる。
【００５０】
第一の係止部２２は、図５（ａ）に示されるように、筐体２の側壁２ａの前端部に形成された上下方向のスリットにより構成される。
【００５１】
図３（ａ）および図３（ｃ）ならびに図５（ａ）は内筒１０４が開錠回転位置にあるときの施錠用回転部品６の姿勢を示している。このように、内筒１０４が開錠回転位置にある状態で、カム片２４におけるカム面２６の外周部がフロントマスク１の幅方向の他端部から最も離間した状態となり、図３（ａ）および図３（ｃ）ならびに図５（ａ）の状態から内筒１０４をカウンタークロックワイズ方向に９０°回転させ、其の回転位置を図５（ｂ）に示されるような施錠回転位置に変化させると、カム片２４のカム面２６の外周部がフロントマスク１の幅方向の他端部に最も接近した状態となる。
つまり、カム面２６は、開錠回転位置から施錠回転位置に向かう内筒１０４の回転位置の変化に応動して、其の外周面が、フロントマスク１の幅方向の他端部から最も離間した状態から最も接近した状態に移動するように構成されている。
【００５２】
また、図３（ａ）および図３（ｃ）ならびに図５（ａ）に示されるように内筒１０４が開錠回転位置にある状態では、施錠用回転部品６の係合片２３が上方を向いて筐体２の側壁２ａの前端部に形成されたスリットから成る第一の係止部２２から内側に離脱しているが、図３（ａ）および図３（ｃ）ならびに図５（ａ）の状態から内筒１０４をカウンタークロックワイズ方向に９０°回転させて其の回転位置を図５（ｂ）に示されるような施錠回転位置に変化させると、施錠用回転部品６の係合片２３が内筒１０４の回転位置の変化に応動して回転位置を変化させ、この係合片２３が筐体２の側壁２ａの前端部に形成されたスリットから成る第一の係止部２２に内側から突入して係合する。
【００５３】
フロントマスク固定用操作桿３は、カム当接面１６からフロントマスク固定用操作桿３の長手方向中心部に向けて離間した位置においてフロントマスク固定用操作桿３を支えるステー本体部９、つまり、ステー本体部９とステー１７のうちカム当接面１６に直近する側のステー本体部９とフロントマスク固定用操作桿３のカム当接面１６との間でフロントマスク固定用操作桿３に環装して取り付けられたコイルスプリング５によってフロントマスク１の幅方向の一端部に向けて定常的に付勢され、その一端部に固設されたカム当接面１６をカム片２４のカム面２６の外周部に当接させているので、内筒１０４に取り付けられた施錠用回転部品６の一部を形成するカム片２４の姿勢変化に応動して、フロントマスク固定用操作桿３全体がフロントマスク１の長手方向に移動することになる。
【００５４】
つまり、図３（ａ）および図３（ｃ）ならびに図５（ａ）に示されるように内筒１０４が開錠回転位置にあってカム片２４のカム面２６がフロントマスク１の幅方向の他端部から最も離間した状態では、カム面２６の外周部にカム当接面１６を当接させたフロントマスク固定用操作桿３の他端部３ａもフロントマスク１の幅方向の他端部から最も離間した状態となるので、筐体２の幅方向の他端部に位置する筐体２の内壁２ｂに図６（ａ）のようにして上下方向に形成されたスリットからなる第二の係止部２７から内側に離脱した状態となる。
【００５５】
また、図３（ａ）および図３（ｃ）ならびに図５（ａ）の状態から内筒１０４をカウンタークロックワイズ方向に９０°回転させて其の回転位置を図５（ｂ）に示されるような施錠回転位置に変化させ、カム片２４のカム面２６をフロントマスク１の幅方向の他端部に接近させると、カム面２６の外周部にカム当接面１６を当接させたフロントマスク固定用操作桿３の他端部３ａもフロントマスク１の幅方向の他端部に接近した状態となって、この他端部３ａが、図６（ｂ）に示されるように、筐体２の内壁２ｂに形成されたスリットからなる第二の係止部２７に内側から突入して係合することになる。
従って、フロントマスク固定用操作桿３は、内筒１０４の回転位置の変化に応動して其の他端部３ａを筐体２の幅方向の他端部に形成された第二の係止部２７に係脱させるフロントマスク固定用操作桿であり、しかも、内筒１０４が施錠回転位置にあるときにカム片２４のカム面２６に一端部つまりカム当接面１６を当接させて其の他端部３ａを筐体２の幅方向の他端部に形成された前記第二の係止部２７に係合させる一方、内筒１０４が開錠回転位置にあるときにカム片２４のカム面２６にカム当接面１６を当接させて其の他端部３ａを第二の係止部２７から離脱させる長さを備えたフロントマスク固定用操作桿でもある。
【００５６】
コイルスプリング５のバネ定数は、フロントマスク固定用操作桿３とフロントマスク１の裏面との間の摩擦抵抗，フロントマスク固定用操作桿３とステー本体部９との間の摩擦抵抗，フロントマスク固定用操作桿３とステー１７との間の摩擦抵抗，フロントマスク固定用操作桿３の他端部３ａと第二の係止部２７との間の摩擦抵抗等の総和に打ち勝ってフロントマスク固定用操作桿３をフロントマスク１の一端部に押し返すことが可能であって、且つ、専用の鍵を利用して錠１０２の内筒１０４を回転させてコイルスプリングの付勢力に抗してフロントマスク固定用操作桿３をフロントマスク１の他端部に移動させる作業が容易に実施できる範囲で任意に設定することができる。
【００５７】
以上の構成において、この実施形態におけるフロントマスク１の施錠機構は、フロントマスク固定用操作桿３と其のカム当接面１６，ステー４のステー本体部９，コイルスプリング５，施錠用回転部品６の係合片２３とカム片２４，ステー１７，内筒１０４を有する錠１０２を主要な構成部品として構成される。
【００５８】
また、情報処理装置の筐体２における側壁２ａ，２ｂには、施錠用回転部品６の係合片２３を係合させるための第一の係止部２２やフロントマスク固定用操作桿３の他端部３ａを係合させるための第二の係止部２７を設ける必要があるが、第一の係止部２２や第二の係止部２７は必ずしもスリット状である必要はなく、例えば、側壁２ａ，２ｂから内側に向けて立ち上がる舌片のようなものであっても構わない。
【００５９】
以上に述べた通り、この実施形態におけるフロントマスク１の施錠機構は、外筒１０３および内筒１０４と施錠用回転部品６すなわち第一の係止部２２に係合する係合片２３とフロントマスク固定用操作桿３を作動させるカム片２４とを備えた鍵１０２と、第二の係止部２７に係合する他端部３ａを備えたフロントマスク固定用操作桿３と、コイルスプリング５をフロントマスク１の幅方向に沿って一直線上に配置した構成であるため、施錠に必要とされる各種のパーツを広い範囲に亘って分散配置した従来型の施錠機構とは相違し、特に、情報処理装置の筐体のフロントマスクといったもののように、特定の方向に著しく長く形成された扉、つまり、長手方向と直交する向きの高さや厚みが少ない扉への利用が容易である。
【００６０】
次に、フロントマスク１を情報処理装置の筐体２に取り付けて施錠する際の操作、および、施錠を解除して情報処理装置の筐体２からフロントマスク１を取り外す際の操作について簡単に説明する。
【００６１】
フロントマスク１を情報処理装置の筐体２に取り付ける場合には、まず、専用の鍵で錠１０２を開錠して内筒１０４を開錠回転位置に回転させ、内筒１０４に固着された施錠用回転部品６の係合片２３を図３（ａ）に示されるようにして上方に向けることによって係合片２３と筐体２の側壁２ａとの干渉を回避できる状態にすると共に、施錠用回転部品６のカム片２４におけるカム面２６の外周部をフロントマスク１の幅方向の他端部から最も離間させた状態としてカム面２６の外周部に従動するフロントマスク固定用操作桿３の他端部３ａをコイルスプリング５の付勢力によりフロントマスク１の幅方向の他端部から内側に向けて移動させ、フロントマスク固定用操作桿３の他端部３ａと筐体２の側壁２ｂとの干渉を回避できる状態とする。
【００６２】
但し、フロントマスク１を情報処理装置の筐体２に取り付けようとした段階で錠１０２が開錠の状態に維持されている場合には上記の操作は不要である。
【００６３】
そして、図２に示されるようにして、フロントマスク１を筐体２の開口部の真正面で把持し、そのまま真っ直ぐに筐体２の正面にフロントマスク１を押し付ける。
【００６４】
この段階で、筐体２の一端部に位置する第一のフロントマスク支持部１０８によりフロントマスク１の一端部の裏面が支えられ、且つ、筐体２の他端部に位置する第二のフロントマスク支持部１０９によりフロントマスク１の他端部の裏面が支えられて、フロントマスク１が備える錠１０２の内筒１０４に設けられた施錠用回転部品６の係合片２３と筐体２側の第一の係止部２２の位置関係およびフロントマスク固定用操作桿３の他端部３ａと筐体２側の第二の係止部２７の位置関係が、図５（ａ）および図６（ａ）に示されるようにして、筐体２の奥行き方向において適正化される。
【００６５】
次いで、専用の鍵で錠１０２の内筒１０４を開錠回転位置から施錠回転位置に向けて、図１（ａ），図２中でクロックワイズ方向、すなわち、図３（ａ），図５（ａ）中でカウンタークロックワイズ方向に回転させ、内筒１０４に設けられた施錠用回転部品６の係合片２３を図５（ｂ）に示されるようにして筐体２の幅方向の一端部に位置する側壁２ａに形成されている第一の係止部２２に突入させて係合させると共に、開錠回転位置から施錠回転位置に向かう内筒１０４の回転により、内筒１０４に設けられた施錠用回転部品６のカム片２４に形成されたカム面２６の外周部にカム当接面１６を当接させたフロントマスク固定用操作桿３を、コイルスプリング５の弾性復帰力に抗して、フロントマスク１の幅方向に沿ってフロントマスク１の他端部側に向けて移動させ、フロントマスク固定用操作桿３の他端部３ａを、図６（ｂ）に示されるようにして、筐体２の幅方向の他端部に位置する側壁２ｂに形成されている第二の係止部２７に突入させて係合させることにより、フロントマスク１の幅方向の両端部を筐体２の前面に固定する。
【００６６】
係合片２３と第一の係止部２２との係脱およびフロントマスク固定用操作桿３の他端部３ａと第二の係止部２７との係脱は内筒１０４の回転に連動して行われるので、筐体２に対するフロントマスク１の取付操作と錠１０２の施錠操作が同時に行われることになる。
【００６７】
また、フロントマスク１を取り付ける際には係合片２３やフロントマスク固定用操作桿３の他端部３ａがフロントマスク１の幅方向の中央部に向けて退避した状態にあり、係合片２３と側壁２ａとの干渉やフロントマスク固定用操作桿３の他端部３ａと側壁２ｂとの干渉が生じることはないので、フロントマスク１を筐体２の開口部の真正面に構えてそのまま真っ直ぐに押し込むことが可能となり、複数の筐体２が幅方向に並べられて密接して配備されているような場合、つまり、筐体１の周辺に余剰な作業スペースがない場合であっても、フロントマスク１の取付作業および施錠作業を容易に実施することができる。
フロントマスク１を筐体２の開口部に対して斜交させたり水平面内で回転させたりしながら各部の係合作業を行う必要もなくなるので、筐体２の手前側に必要とされる作業スペースも少なくて済む。
【００６８】
一方、フロントマスク１を情報処理装置の筐体２から取り外す場合にあっては、前記とは逆に、錠１０２の内筒１０４を専用の鍵で施錠回転位置から開錠回転位置に向けて、図１（ａ），図２中でカウンタークロックワイズ方向、すなわち、図５（ｂ）中でクロックワイズ方向に回転させ、内筒１０４に設けられた施錠用回転部品６の係合片２３を図５（ａ）に示されるようにして筐体２の幅方向の一端部に位置する側壁２ａに形成されている第一の係止部２２から内側に離脱させると共に、施錠回転位置から開錠回転位置に向かう内筒１０４の回転により、内筒１０４に設けられた施錠用回転部品６のカム片２４に形成されたカム面２６の外周部にカム当接面１６を当接させたフロントマスク固定用操作桿３をコイルスプリング５の弾性復帰力によりフロントマスク１の幅方向に沿ってフロントマスク１の一端部に向けて移動させ、フロントマスク固定用操作桿３の他端部３ａを、図６（ａ）に示されるようにして、筐体２の幅方向の他端部に位置する側壁２ｂに形成されている第二の係止部２７から内側に離脱させることにより、フロントマスク１の幅方向の両端部と筐体２の両端部との間の係合を解除する。
【００６９】
前記と同様、係合片２３と第一の係止部２２との係脱およびフロントマスク固定用操作桿３の他端部３ａと第二の係止部２７との係脱は内筒１０４の回転に連動して行われるので、筐体２からのフロントマスク１の取り外し操作と錠１０２の開錠操作が同時に行われることになる。
【００７０】
また、フロントマスク１を取り外す際には係合片２３やフロントマスク固定用操作桿３の他端部３ａがフロントマスク１の幅方向の中央部に向けて退避した状態となり、係合片２３と側壁２ａとの干渉やフロントマスク固定用操作桿３の他端部３ａと側壁２ｂとの干渉が生じることはないので、フロントマスク１を筐体２から手前に向けて真っ直ぐに引き抜くことが可能となり、複数の筐体２が幅方向に並べられて密接して配備されているような場合、つまり、筐体１の周辺に余剰な作業スペースがない場合であっても、フロントマスク１の取り外し作業および開錠作業を支障なく実施することができる。
フロントマスク１を筐体２の開口部に対して斜交させたり水平面内で回転させたりしながら各部の係合を解除する作業を行う必要もなくなるので、筐体２の手前側に必要とされる作業スペースも少なくて済む。
【００７１】
この実施形態では、フロントマスク固定用操作桿３の本体部と同等の幅を有する固定用操作桿３の他端部３ａと施錠用回転部品６に設けられた１つの係合片２３とを利用してフロントマスク１を筐体２に２箇所で固定するようにした構成について説明したが、これらの係合要素の数は、フロントマスク１に要求される取付強度等に応じて適宜に増加させることができる。
例えば、固定用操作桿３の本体部と同等の幅を有する固定用操作桿３の他端部３ａを固定用操作桿３の本体部と一体的に本体部の幅方向に並列して其の末端部分に何本か設け、筐体２の側壁２ｂにも第二の係止部２７（スリット）を他端部３ａの数に合わせて複数個設け、フロントマスク１と筐体２を他端部の複数箇所で係合するように構成することができる。
また、施錠用回転部品６の係合片２３を奥行き方向に間隔を置いて複数個設け、筐体２の奥行き方向に間隔を置いて側壁２ａに設けた複数の第二の係止部２７（スリット）と係合させるようにし、フロントマスク１と筐体２を一端部の複数箇所で係合するように構成することもできる。
【産業上の利用可能性】
【００７２】
本発明は、情報処理装置の筐体の前面を覆うフロントマスクの他、特定の方向に著しく長く形成された扉、つまり、長手方向と直交する向きの高さや厚みが少ない扉の施錠機構として適する。
【符号の説明】
【００７３】
１  フロントマスク
２  情報処理装置の筐体
２ａ，２ｂ  側壁
３  フロントマスク固定用操作桿
３ａ  フロントマスク固定用操作桿の他端部
４  ステー
５  コイルスプリング
６  施錠用回転部品
７  長孔
８  フロントマスク当接部
９  ステー本体部
１０  矩形穴
１１，１２  折り返し部
１３，１４  孔
１５  ナット
１６  カム当接面
１７  ステー
１８，１９  矩形状の切り込み
２０，２１  孔
２２  第一の係止部
２３  係合片
２４  カム片
２５  ナット
２６  カム面
２７  第二の係止部
１００  フロントマスク
１０１  情報処理装置の筐体
１０１ａ，１０１ｂ  側壁
１０２  錠
１０３  外筒
１０４  内筒
１０５  鍵穴
１０６  第一の係止部
１０６ａ  舌片部
１０６ｂ  スリット部
１０７  係合片
１０８  第一のフロントマスク支持部
１０９  第二の係止部
１０９ａ，１１０ｂ  舌片部
１１０  係合片
１１１  第二のフロントマスク支持部
Ｗ  装置全体の大きさに相当する横幅
Ｓ  作業スペース
【要約】
【課題】筐体の左右の作業スペースが狭くても容易にフロントマスクを着脱できる施錠機構を提供する。
【解決手段】フロントマスク１の幅方向の一端部に設けられた錠１０２の内筒１０４を鍵で回転させて内筒１０４の外周部に形成された係合片２３を筐体２の幅方向一端部の係止部２２に係合させると共に、内筒１０４の回転により、内筒１０４の外周部のカム片２４のカム面２６に当接したフロントマスク固定用操作桿３をフロントマスク１の幅方向に沿って移動させ、その他端部３ａを筐体２の幅方向他端部の係止部２７に係合させる。
係合片２３を備えた錠１０２とフロントマスク固定用操作桿３を一直線上に配置した構成によって長手方向と直交する向きの高さや厚みが少ないフロントマスク１への施錠機構の取り付けに対処する。
【選択図】図３【図１】
0005483499.tif 000002
【図２】
0005483499.tif 000003
【図３】
0005483499.tif 000004
【図４】
0005483499.tif 000005
【図５】
0005483499.tif 000006
【図６】
0005483499.tif 000007
【図７】
0005483499.tif 000008
【図８】
0005483499.tif 000009
【図９】
0005483499.tif 000010
【図１０】
0005483499.tif 000011
【図１１】
0005483499.tif 000012